(57)【要約】【課題】設備機器の制御情報を設定する際の作業負荷を低減すると共に、制御情報の設定ミスを低減することが可能な設定支援装置、設定支援方法、設定支援プログラム、及び設備制御システムを提供する。【解決手段】本発明に係る設定支援装置は、施設内の設備機器に接続される制御装置が設備機器を制御するために用いる制御情報の設定を支援する設定支援装置であって、施設内の設備機器の配置領域が含まれるレイアウト図を記憶するレイアウトデータベースと、レイアウト図を表示すると共に、設備機器を識別する機器識別情報と制御情報とを入力する入力領域を配置領域に対応付けて表示する表示部と、入力された機器識別情報と制御情報とを受け付ける入力受付部と、受け付けた機器識別情報と制御情報とを関連付けて記憶する設定データベースと、設定データベースに記憶された機器識別情報と制御情報とを関連付けて制御装置に向けて出力する出力部とを備える。【選択図】図２
2009003788.tif 000002
【特許請求の範囲】
【請求項１】
施設内に設けられる設備機器に接続される制御装置が前記設備機器を制御するために用いる制御情報の設定を支援する設定支援装置であって、
前記施設内における前記設備機器の配置領域が含まれるレイアウト図を示すレイアウト情報を記憶するレイアウトデータベースと、
前記レイアウト情報に基づいて、前記レイアウト図を表示すると共に、前記設備機器を識別する機器識別情報と前記制御情報とを入力する入力領域を前記配置領域に対応付けて表示する表示部と、
ユーザによって前記入力領域に入力された前記機器識別情報と前記制御情報とを受け付ける入力受付部と、
前記入力受付部によって受け付けられた前記機器識別情報と前記制御情報とを関連付けて記憶する設定データベースと、
前記設定データベースに関連付けて記憶された前記機器識別情報と前記制御情報とを、関連付けて前記制御装置に向けて出力する出力部と
を具備することを特徴とする設定支援装置。
【請求項２】
前記入力受付部は、前記設備機器の用途を識別する前記用途識別情報を受け付け、
前記用途識別情報と、制御情報の推奨値とを関連付けて記憶するソースデータベースと、
前記入力受付部によって前記用途識別情報が受け付けられた際、当該用途識別情報に関連付けて記憶されている前記制御情報の推奨値を、前記ソースデータベースから抽出する第１抽出部を更に備え、
前記設定データベースは、前記機器識別情報と、前記用途識別情報と、前記第１抽出部によって抽出された前記制御情報の推奨値とを、関連付けて記憶する
ことを特徴とする請求項１に記載の設定支援装置。
【請求項３】
前記レイアウトデータベースには、前記配置領域に配置される前記設置機器の種類を識別する種別情報が記憶されており、
前記ソースデータベースには、前記用途識別情報に加え、前記種別情報と、前記制御情報の推奨値とが関連付けて記憶されており、
前記用途識別情報が入力された前記入力領域に対応する前記配置領域に基づいて、前記種別情報を前記レイアウトデータベースから抽出する第２抽出部を更に備え、
前記第１抽出部は、前記用途識別情報と前記第２抽出部によって抽出された前記種別情報とに基づいて、前記制御情報の推奨値を前記ソースデータベースから抽出し、
前記設定データベースは、前記機器識別情報と、前記用途識別情報と、前記第２抽出部によって抽出された前記種別情報と、前記第１抽出部によって抽出された前記制御情報の推奨値とを関連付けて記憶する
ことを特徴とする請求項２に記載の設定支援装置。
【請求項４】
前記表示部は、前記設定データベースに記憶されている前記制御情報を表示する設定表示領域を前記配置領域に対応付けて表示し、
前記設定表示領域に表示されている前記制御情報の入力変更をユーザから受け付ける変更受付部を更に備え、
前記設定データベースは、前記変更受付部によって受け付けられた前記制御情報を再度記憶する
ことを特徴とする請求項２又は３に記載の設定支援装置。
【請求項５】
前記レイアウト図に新たな設備機器の配置領域の追加をユーザから受け付けるレイアウト受付部を更に備え、
前記レイアウトデータベースは、前記レイアウト受付部によって新たな設備機器の配置領域の追加が受け付けられた際、前記新たな設備機器の配置領域が含まれるレイアウト図を示すレイアウト情報を記憶する
ことを特徴とする請求項１乃至４のいずれか１項に記載の設定支援装置。
【請求項６】
施設内に設けられる設備機器に接続される制御装置が前記設備機器を制御するために用いる制御情報の設定を支援する設定支援装置における設定支援方法であって、
前記施設内における前記設備機器の配置領域が含まれるレイアウト図を示すレイアウト情報を記憶するステップＡと、
前記レイアウト情報に基づいて、前記レイアウト図を表示すると共に、前記設備機器を識別する機器識別情報と前記制御情報とを入力する入力領域を、前記配置領域に対応付けて表示するステップＢと、
ユーザによって前記入力領域に入力された前記機器識別情報と前記制御情報を受け付けるステップＣと、
前記ステップＣによって受け付けられた前記機器識別情報と前記制御情報とを関連付けて記憶するステップＤと、
前記ステップＤにおいて関連付けて記憶された前記機器識別情報と前記制御情報とを、関連付けて前記制御装置に向けて出力するステップＥと
を含むことを特徴とする設定支援方法。
【請求項７】
施設内に設けられる設備機器に接続される制御装置が前記設備機器を制御するために用いる制御情報の設定を支援する設定支援装置として動作するコンピュータに、
前記施設内における前記設備機器の配置領域が含まれるレイアウト図を示すレイアウト情報をレイアウトデータベースに記憶する工程Ａと、
前記レイアウト情報に基づいて、前記レイアウト図を表示すると共に、前記設備機器を識別する機器識別情報と前記制御情報とを入力する入力領域を前記配置領域に対応付けて表示する工程Ｂと、
ユーザによって前記入力領域に入力された前記機器識別情報と前記制御情報とを受け付ける工程Ｃと、
前記工程Ｃによって受け付けられた前記機器識別情報と前記制御情報とを関連付けて記憶する工程Ｄと、
前記工程Ｄにおいて関連付けて記憶された前記機器識別情報と前記制御情報とを、関連付けて前記制御装置に向けて出力する工程Ｅと
を実行することを特徴とする設定支援プログラム。
【請求項８】
施設内に設けられる設備機器と、前記設備機器の運転を制御する制御装置と、前記制御装置を管理する統合管理装置と、前記制御装置が前記設備機器を制御するために用いられる制御情報の設定を支援する設定支援装置とを備える設備制御システムであって、
前記設定支援装置は、
前記施設内における前記設備機器の配置領域が含まれるレイアウト図を示すレイアウト情報を記憶するレイアウトデータベースと、
前記レイアウト情報に基づいて、前記レイアウト図を表示すると共に、前記設備機器を識別する機器識別情報と前記制御情報とを入力する入力領域を前記配置領域に対応付けて表示する表示部と、
ユーザによって前記入力領域に入力された前記機器識別情報と前記制御情報とを受け付ける入力受付部と、
前記入力受付部によって受け付けられた前記制御情報と、前記機器識別情報とを関連付けて記憶する設定データベースと、
前記設定データベースに関連付けて記憶された前記機器識別情報と前記制御情報とを、関連付けて前記統合管理装置に向けて出力する出力部とを備え、
前記統合管理装置は、
前記設定支援装置から出力された前記機器識別情報に基づいて、前記制御情報を前記設備機器に出力する出力部を備え、
前記制御装置は、
前記統合管理装置から出力された前記制御情報に基づいて、前記設備機器の運転を制御する制御部を備える
ことを特徴とする設備制御システム。
【発明の詳細な説明】
【技術分野】
【０００１】
本発明は、施設内に設けられる設備機器を制御するために用いられる制御情報の設定を支援する設定支援装置、設定支援方法、設定支援プログラム、及び設備制御システムに関する。
【背景技術】
【０００２】
スーパーマーケット等の大型の店舗や工場等の施設には、室内の温度や空調管理や商品の保存管理等を目的とする設備機器が数多く設けられている。このような施設に設備機器を設置する場合、施設内での業務内容や作業効率を考慮して、設備機器の配置、配線などを検討し、検討結果に基づいてレイアウト図が作成される。なお、作成されたレイアウト図には、各設備機器を識別する機器識別情報や、各設備機器の種類を識別する種別情報等が示されており、施工業者は、上述したレイアウト図に基づいて、施設内に設備機器を配置する。
【０００３】
ところで、各設備機器を計画的且つ効率的に運転させるためには、各設備機器毎の運転を制御するための制御情報を予め設定しておく必要がある。一般的に、各設備機器の制御情報の設定は、各設備機器一台一台に対応する制御情報を、設備機器の設置時にオペレータが現地で手動によって入力している。また、この設定作業は、施設自体の施工作業と同時に実施される場合が多いため、作業時間が限られているだけでなく、室内温度が高い環境下で行われる等、劣悪な環境下で実施されている。よって、施設に設けられる多数の設備機器に制御情報を設定することは、設定作業の作業負荷が大きいという問題があった。そこで、近年では、事前に制御情報を設定することが可能な装置も提案されている（例えば、特許文献１参照）。なお、このような装置を利用すれば、現地での作業負荷を低減することが可能になる。
【特許文献１】特許第３７５０６３２号公報
【発明の開示】
【発明が解決しようとする課題】
【０００４】
しかしながら、上述した装置などを用いて各設備機器の制御情報を設定する場合、施設内に数多く配置されている設備機器をイメージしにくく、制御情報を設定すべき対象の設備機器を間違える等のミスが生じやすいという問題があった。
【０００５】
そこで、本発明は以上の点に鑑みてなされたもので、施設に設けられる設備機器に対する制御情報を設定する際の作業負荷を低減すると共に、制御情報の設定ミスを低減することが可能な設定支援装置、設定支援方法、設定支援プログラム、及び設備制御システムを提供することを目的とする。
【課題を解決するための手段】
【０００６】
本発明の特徴は、施設（施設５００）内に設けられる設備機器に接続される制御装置（例えば、統合コントローラ１００や設備機器に設けられている制御部）が前記設備機器を制御するために用いられる制御情報（例えば、上限温度等）の設定を支援する設定支援装置であって、前記施設内における前記設備機器の配置領域（例えば、配置領域ＳＡ１）が含まれるレイアウト図を示すレイアウト情報を記憶するレイアウトデータベースと、前記レイアウト情報に基づいて、前記レイアウト図を表示すると共に、前記設備機器を識別する機器識別情報（例えば、Ａ１）と前記制御情報とを入力する入力領域（例えば、入力領域Ｘ１）を前記配置領域に対応付けて表示する表示部と、ユーザによって前記入力領域に入力された前記機器識別情報と前記制御情報とを受け付ける入力受付部（受付部１４）と、前記入力受付部によって受け付けられた前記機器識別情報と前記制御情報とを関連付けて記憶する設定データベースと、前記設定データベースに関連付けて記憶された前記機器識別情報と前記制御情報とを、関連付けて前記制御装置に向けて出力する出力部（通信部１８）とを具備することを要旨とするものである。ここで、「入力領域を配置領域に対応付けて表示する」とは、例えば、配置領域内に入力領域を表示することや、配置領域の近傍に入力領域を表示することや、配置領域から吹き出し形式で入力領域を表示することや、配置領域の位置等（例えば、垂直方向の位置）に応じて、別ウインドウに入力領域を表示することを示す。また、「関連付けて制御装置に向けて出力する」とは、関連付けて記憶された機器識別情報と制御情報との対応関係を保持したまま出力することを示すと共に、制御装置を終点として出力することを示す。なお、途中に統合管理装置などを経由して、制御装置を終点として出力することも含まれる。
【０００７】
かかる設定支援装置によれば、表示部には、レイアウト図に含まれる設備機器の配置領域に対応した入力領域が表示される。よって、ユーザは、表示部に表示されるレイアウト図を参照しながら、機器識別情報や制御情報を設定する際、設定すべき対象の設備機器を間違える等のミスを低減し、かつ制御情報を容易に設定することができる。
【０００８】
また、かかる設定支援装置によれば、設備機器を設置する施設内、つまり、現地で制御情報の設定作業を実施しなくとも、事前に事務所などにおいて設定作業を実施しておくことも可能になるので、現地における設定作業期間を短縮することができる。
【０００９】
また、本発明は、上記特徴に加え、前記入力受付部は、前記設備機器の用途を識別する（例えば、鮮魚）前記用途識別情報を、前記ユーザからの入力により受け付け、前記用途識別情報と、制御情報の推奨値とを関連付けて記憶するソースデータベースと、前記入力受付部によって前記用途識別情報が受け付けられた際、当該用途識別情報に関連付けて記憶されている前記制御情報の推奨値を、前記ソースデータベースから抽出する第１抽出部（抽出処理部１５）とを備え、前記設定データベースは、前記機器識別情報と、前記用途識別情報と、前記第１抽出部によって抽出された前記制御情報の推奨値とを、関連付けて記憶してもよい。
【００１０】
かかる特徴によれば、設定支援装置では、表示部に表示されるレイアウト図の設備機器の配置領域に対応した入力領域に、ユーザが用途識別情報を入力すると、第１抽出部が、制御情報の推奨値をソースデータベースから抽出する。
【００１１】
つまり、かかる設定支援装置によれば、ユーザは、表示部に表示されるレイアウト図を参照しながら、設備機器の配置領域に対応する入力領域に、設備機器の用途を示す用途識別情報を入力するだけで、当該設備機器の制御に用いられる制御情報の推奨値を設定データベースに記憶させることができる。よって、かかる設定支援装置によれば、施設に設けられる設備機器の制御情報を設定する際の作業負荷を大きく低減することができる。
【００１２】
また、本発明は、上記特徴に加え、前記レイアウトデータベースには、前記配置領域に配置される前記設置機器の種類を識別する種別情報（例えば、ＳＥＣ１０００）が記憶されており、前記ソースデータベースには、前記用途識別情報に加え、前記種別情報と、前記制御情報の推奨値とが関連付けて記憶されており、前記用途識別情報が入力された前記入力領域に対応する前記配置領域に基づいて、前記種別情報を前記レイアウトデータベースから抽出する第２抽出部（抽出処理部１５）を更に備え、前記第１抽出部は、前記用途識別情報と前記第２抽出部によって抽出された前記種別情報とに基づいて、前記制御情報の推奨値を前記ソースデータベースから抽出し、前記設定データベースは、前記機器識別情報と、前記用途識別情報と、前記第２抽出部によって抽出された前記種別情報と、前記第１抽出部によって抽出された前記制御情報の推奨値とを関連付けて記憶することを要旨とするものである。
【００１３】
かかる設定支援装置によれば、第２抽出部は、施設内に設備機器を設置する施工工程において必ず作成されるレイアウト図に含まれる種別情報を前記レイアウトデータベースから抽出する。つまり、かかる設定支援装置によれば、ユーザは、表示部に表示されるレイアウト図を参照しながら、設備機器の配置領域に対応する入力領域に、設備機器の用途を示す用途識別情報を入力するだけで、機器識別情報と、用途識別情報と、種別情報と、制御情報の推奨値とを関連付けて記憶することができる。よって、かかる設定支援装置によれば、施設に設けられる設備機器の制御情報を設定する際の作業負荷を大きく低減することができる。
【００１４】
また、本発明は、上記特徴に加え、前記表示部は、前記設定データベースに記憶されている前記制御情報を表示する設定表示領域を前記配置領域に対応付けて表示し、前記設定表示領域に表示されている前記制御情報の入力変更をユーザから受け付ける変更受付部（受付部１４）を更に備え、前記設定データベースは、前記変更受付部によって受け付けられた前記制御情報を再度記憶することを要旨とするものである。
【００１５】
かかる特徴によれば、設定支援装置では、変更受付部が、制御情報の入力変更を受け付けて、変更された制御情報を設定データベースに記憶することができる。よって、かかる設定支援装置によれば、ユーザは、レイアウト図と、制御情報が表示されている設定表示領域とを参照しながら、設備機器の制御情報の変更を容易に実施することができる。
【００１６】
また、本発明は、上記特徴に加え、前記レイアウト図に新たな設備機器の配置領域の追加をユーザから受け付けるレイアウト受付部（受付部１４）を更に備え、前記レイアウトデータベースは前記レイアウト受付部によって新たな設備機器の配置領域の追加を受け付けられた場合、前記新たな設備機器の配置領域が含まれるレイアウト図を示すレイアウト情報を記憶してもよい。かかる特徴によれば、設定支援装置では、レイアウト受付部が、新たな設備機器の配置領域を追加する等、レイアウト図自体の作成を行うことができる。
【００１７】
また、本発明の特徴は、施設内に設けられる設備機器に接続される制御装置が前記設備機器を制御するために用いる制御情報の設定を支援する設定支援装置における設定支援方法であって、前記施設内における前記設備機器の配置領域が含まれるレイアウト図を示すレイアウト情報を記憶するステップＡと、前記レイアウト情報に基づいて、前記レイアウト図を表示すると共に、前記設備機器を識別する機器識別情報と前記制御情報とを入力する入力領域を、前記配置領域に対応付けて表示するステップＢと、ユーザによって前記入力領域に入力された前記制御情報を受け付けるステップＣと、前記ステップＣによって受け付けられた前記機器識別情報と前記制御情報とを関連付けて記憶するステップＤと、前記ステップＤにおいて関連付けて記憶された前記機器識別情報と前記制御情報とを、関連付けて前記制御装置に向けて出力するステップＥとを含むことを要旨とするものである。かかる設定支援方法によれば、ユーザは、設備機器の制御情報を設定する際、設備機器の配置領域に対応した入力領域とレイアウト図とを参照しながら、設備機器の制御情報を入力することが可能になる。よって、かかる設定支援方法によれば、設定すべき対象の設備機器を間違える等のミスを低減し、かつ制御情報を容易に設定することができる。
【００１８】
また、本発明の特徴は、施設内に設けられる設備機器に接続される制御装置が前記設備機器を制御するために用いる制御情報の設定を支援する設定支援装置として動作するコンピュータに、前記施設内における前記設備機器の配置領域が含まれるレイアウト図を示すレイアウト情報をレイアウトデータベースに記憶する工程Ａと、前記レイアウト情報に基づいて、前記レイアウト図を表示すると共に、前記設備機器を識別する機器識別情報と前記制御情報とを入力する入力領域を前記配置領域に対応付けて表示する工程Ｂと、ユーザによって前記入力領域に入力された前記機器識別情報と前記制御情報とを受け付ける工程Ｃと、前記工程Ｃによって受け付けられた前記機器識別情報と前記制御情報とを関連付けて記憶する工程Ｄと、前記工程Ｄにおいて関連付けて記憶された前記機器識別情報と前記制御情報とを、関連付けて前記制御装置に向けて出力する工程Ｅとを実行する設定支援プログラムに関することを要旨とするものである。かかる設定支援プログラムによれば、ユーザは、設備機器の制御情報を設定する際、コンピュータを用いて、設備機器の配置領域に対応した入力領域とレイアウト図とを参照しながら、設備機器の制御情報を入力することが可能になる。よって、かかる設定支援プログラムによれば、設定すべき対象の設備機器を間違える等のミスを低減し、かつ制御情報を容易に設定することができる。
【００１９】
また、本発明の特徴は、施設内に設けられる設備機器と、前記設備機器の運転を制御する制御装置と、前記制御装置を管理する統合管理装置（統合コントローラ１００）と、前記制御装置が前記設備機器を制御するために用いる制御情報の設定を支援する設定支援装置とを備える設備制御システムであって、前記設定支援装置は、前記施設内における前記設備機器の配置領域が含まれるレイアウト図を示すレイアウト情報を記憶するレイアウトデータベースと、前記レイアウト情報に基づいて、前記レイアウト図を表示すると共に、前記設備機器を識別する機器識別情報と前記制御情報とを入力する入力領域を前記配置領域に対応付けて表示する表示部と、ユーザによって前記入力領域に入力された前記機器識別情報と前記制御情報とを受け付ける入力受付部と、前記入力受付部によって受け付けられた前記機器識別情報と前記制御情報とを関連付けて記憶する設定データベースと、前記設定データベースに関連付けて記憶された前記機器識別情報と前記制御情報とを、関連付けて前記統合管理装置に向けて出力する出力部とを備え、前記統合管理装置は、前記設定支援装置から出力された前記機器識別情報に基づいて、前記制御情報を前記設備機器に出力する出力部（制御部１３０）を備え、前記制御装置は、前記統合管理装置から出力された前記制御情報に基づいて、前記設備機器の運転を制御する制御部を備えることを要旨とするものである。
【００２０】
かかる設備制御システムによれば、ユーザは、設備機器の制御情報を設定する際、設定支援装置の表示部に表示されるレイアウト図と設備機器の配置領域とを参照しながら、設備機器の制御情報を設定できる。よって、設備制御システムによれば、設定すべき対象の設備機器を間違える等のミスを低減し、かつ制御情報を容易に設定することができる。また、制御装置は、設定支援装置によって設定された制御情報を用いて、設備機器の運転をより適切に制御することができる。
【発明の効果】
【００２１】
本発明の特徴によれば、施設に設けられる設備機器に対する制御情報を設定する際の作業負荷を低減すると共に、制御情報の設定ミスを低減することが可能な設定支援装置、設定支援方法、設定支援プログラム、及び設備制御システムを提供することができる。
【発明を実施するための最良の形態】
【００２２】
（本発明の第１実施形態に係る設備制御システムの構成）
本発明の第１実施形態について説明する。なお、以下の図面の記載において、同一または類似の部分には、同一または類似の符号を付している。ただし、図面は模式的なものであることに留意すべきである。
【００２３】
本発明の第１実施形態に係る設備制御システム１０００の構成について、図１を参照して説明する。図１には、本実施形態に係る設備制御システム１０００の全体概略構成が示されている。
【００２４】
図１に示すように、本実施形態に係る設備制御システム１０００は、統合コントローラ１００と、設備機器２００_１乃至２００_ｎ（ｎは自然数）と、設備機器２００_１乃至２００_ｎ（ｎは自然数）を制御する制御装置１５０_１乃至１５０_ｎ（ｎは自然数）と、設定支援装置１０とを具備する。また、本実施形態において、施設５００内には、統合コントローラ１００と、設備機器２００_１乃至２００_ｎと、制御装置１５０_１乃至１５０_ｎとが設けられていることとする。なお、設定支援装置１０は、施設５００内に設けられていてもよい。また、本実施形態において、施設５００は、例えば、スーパーマーケット等の大型店舗である場合を例に挙げて説明する。よって、本実施形態において、設備機器２００_１乃至２００_ｎは、施設５００内に設けられている空調機器や、食料品を保存するための冷凍機器等の機器とする。なお、本実施形態において設備機器２００_１乃至２００_ｎを、単に設備機器２００とし、制御装置１５０_１乃至１５０_ｎを単に制御装置１５０として適宜説明する。
【００２５】
制御装置１５０は、通信部１５０_１と制御部１５０_２とを備える。制御部１５０_２は、通信部１５０_１を介して、統合コントローラ１００から送信された制御情報に基づいて、設備機器２００の運転を制御する。例えば、設備機器２００が食料品を保存するための冷蔵装置である場合、制御部１５０_２は、制御情報に基づいて、冷蔵装置の温度を調整するための冷媒の循環制御などを実施する。ここで、制御情報とは、施設全体の総合的な省エネルギー化を実現するため、統合コントローラ１００が各設備機器２００を計画的且つ効率的に運転させるために用いる情報である。
【００２６】
統合コントローラ１００は、設備機器２００の運転動作を制御する。具体的に、統合コントローラ１００は、通信部１１０と、記憶部１２０と、制御部１３０とを備える。
【００２７】
通信部１１０は、設定支援装置１０との間で通信する。なお、設定支援装置１０との間における通信は、有線回線を介して実行してもよいし、無線回線を介して実行してもよい。また、通信部１１０は、設定支援装置１０の通信部１８（後述）から出力された機器識別情報と用途識別情報と種別情報と制御情報とを入力する。ここで、機器識別情報は、施設５００内における設備機器２００を識別するための識別情報である。また、用途識別情報は、施設内での用途を識別するためにユーザによって予め設定される情報である。例えば、用途識別情報は、設備機器２００を鮮魚の保存用に運転する場合には、「鮮魚」などが挙げられる。また、種別情報は、設備機器２００の種類等の型式を示す情報である。また、記憶部１２０は、通信部１１０から入力された各種情報を関連づけて記憶する。
【００２８】
制御部１３０は、通信部１１０を介して入力した機器識別情報と種別情報と制御情報とに基づいて、機器識別情報に対応する設備機器２００を管理する。また、制御部１３０は、設定支援装置１０から出力された機器識別情報に基づいて、制御情報を制御装置１５０に出力する。また、機器識別情報は、統合コントローラ１００が、各設備機器２００と通信する際に使用するアドレス（ネットワークアドレス）等であってもよい。本実施形態において、制御部１３０は、制御情報を設備機器に出力する出力部を構成する。
【００２９】
設定支援装置１０は、統合コントローラ１００との間で通信する。また、設定支援装置１０は、制御装置１５０によって設備機器２００の運転を制御するために用いられる制御情報の設定を支援する装置である。具体的に、設定支援装置１０は、各設備機器２００の運転に用いられる各種情報を生成する。また、設定支援装置１０は、生成した各種情報を統合コントローラ１００を介して、各制御装置１５０に送信する。なお、本実施形態に係る設定支援装置１０は、ＰＤＡ（Ｐｅｒｓｏｎａｌ Ｄｅｇｉｔａｌ Ａｓｓｉｓｔａｎｔ）や、ノート型コンピュータや、デスクトップ型コンピュータを想定している。
【００３０】
（第１実施形態に係る設定支援装置の構成）
次に、図２を参照し、設定支援装置１０の構成について具体的に説明する。また、以下、本発明との関連がある部分について主に説明する。したがって、設定支援装置１０は、設定支援装置としての機能を実現する上で必須な、図示しない或いは説明を省略した機能ブロック（電源部など）を備える場合があることに留意されたい。
【００３１】
図２に示すように、設定支援装置１０は、レイアウトデータベース１１と、ソースデータベース１２と、入力部１３と、受付部１４と、抽出処理部１５と、表示部１６と、設定データベース１７と、通信部１８とを具備する。また、通信部１８では、設定データベースに記憶された情報を、例えば、無線や有線を用いて通信させたり、ＵＳＢメモリなどの可搬可能な記憶媒体に記憶させて、ユーザが当該記憶媒体を用いて情報を移動させることも可能である。なお、設定支援装置１０は、コンピュータとして機能し、インストールされているプログラム（設定支援プログラム）によって、レイアウトデータベース１１と、ソースデータベース１２と、入力部１３と、受付部１４と、抽出処理部１５と、表示部１６と、設定データベース１７と、通信部１８との各種機能を実行させてもよい。
【００３２】
レイアウトデータベース１１は、施設５００において、設備機器２００の配置位置を示す配置領域が含まれる施設５００内のレイアウト図を示すレイアウト情報と、各配置領域に対応する設備機器２００の種別情報と、各配置領域を識別する機器識別情報とを記憶する。
【００３３】
ここで、図３には、本実施形態に係るレイアウト情報を表示部１６に表示した際のレイアウト図の一例が示されている。また、本実施形態では、施設５００において、設備機器２００_１乃至２００_８の８つの設備機器が設けられていることとする。また、本実施形態では、設備機器２００_１乃至２００_８に対応する配置領域を配置領域ＳＡ１乃至ＳＡ８として説明する。また、それぞれの配置領域ＳＡ１乃至ＳＡ８内には、設備機器２００の種別情報（例えば、ＳＥＣ１０００）が、レイアウト図と共に示されている。なお、当該レイアウト図には、統合コントローラ１００の配置位置を示す配置領域として、配置領域Ｓ１００も含まれている。
【００３４】
また、レイアウトデータベース１１は、レイアウトテーブルＴ１を備える。具体的に、レイアウトテーブルＴ１は、図４に示すように、種別情報と、入力領域と、設定表示領域と、配置領域とを関連付けて記憶する。表示部１６には、レイアウト図において、レイアウトテーブルＴ１から読み出された各種情報が表示される。また、入力領域や、設定表示領域や、配置領域などの各種領域は、表示部１６にレイアウトを表示する際や、施設５００のレイアウト図を作成する際の座標値によって示される情報である。また、上述したレイアウトデータベース１１に記憶されるレイアウト情報、種別情報等は、一般的にレイアウト図を作成する際に作成される情報である。つまり、これらの情報は、施設５００に設備機器２００を設置する際に、ユーザ（設計者）によって必ず作成（入力）される情報である。なお、レイアウトデータベース１１は、設備機器２００を識別する機器識別情報（Ａ１）も、配置領域や種別情報と関連付けて予め記憶されるように構成されていてもよい。この場合、表示部１６は、図３に示すように、設備機器２００の配置領域に対応付けて機器識別情報（Ａ１）も表示してもよい。また、入力領域は、表示部１６上において、ユーザが制御情報や機器識別情報等の情報を入力するための領域を示す。表示領域は、各設備機器２００に対応する制御情報等を表示するための領域を示す。
【００３５】
ソースデータベース１２は、設備機器２００の種類を示す種別情報と、設備機器２００の用途を識別する用途識別情報と、設備機器２００を用途に応じて制御するために用いられる前記制御情報とを関連付けて記憶する。具体的に、ソースデータベース１２は、図５に示すように、ソーステーブルＴ２を備える。ソーステーブルＴ２は、設備機器２００の型式などの種類を示す種別情報と、用途識別情報と、設備機器２００の制御情報の推奨値とが予め関連付けて記憶されている。
【００３６】
ここで、種別情報は、設備機器２００の型式だけでなく、設備機器２００の名称などであってもよい。また、用途識別情報は、施設５００内における設備機器２００の用途を示す情報であり、本実施形態では、「鮮魚」、「精肉」、「アイス」、「冷凍食品」、「菓子」等、設備機器を用いて保存される食料品の名称とする。なお、かかる用途識別情報は、これに限定されるものではない。また、制御情報の推奨値は、種別情報や用途識別情報に基づいて決定され、設備機器２００の運転を制御する際の標準的なデフォルト値を示す。また、制御情報の推奨値は、店舗の形態等に基づいて、ユーザによってカスタマイズ、又は新たに登録された情報であってもよい。また、本実施形態では、制御情報の推奨値には、設備機器２００の通常運転時に用いられる「設定温度」、「上限温度」、「下限温度」などが含まれる。なお、制御情報の推奨値に含まれる情報は、これに限定されるものではなく、例えば、「消費電力」、警報を作動させる際の「異常電力値」、温度調整を行うための「冷媒の循環圧力」、「運転タイムスケジュール」などが含まれていてもよい。また、ソースデータベース１２に記憶される各種情報は、ユーザが入力部１３（後述）を用いて変更することも可能である。
【００３７】
入力部１３は、ユーザからの所定の操作を受けるユーザインターフェースとして機能する。例えば、入力部１３は、キーボードや、マウス、タッチパネルなどであってもよい。
【００３８】
受付部１４は、ユーザが入力部１３を用いて入力した各種操作を受け付ける。受付部１４は、ユーザが入力部１３を用いて入力領域Ｘ１に入力された制御情報や機器識別情報（例えば、「Ａ１」）や用途識別情報（例えば、「鮮魚」）を受け付けて、当該情報と、入力された入力領域Ｘ１乃至Ｘ８とを抽出処理部１５に通知する。ここで、入力領域Ｘ１乃至Ｘ８には、ユーザが各設備機器２００の用途識別情報を入力するため用途入力領域Ｘ１１乃至Ｘ１８が含まれている。なお、用途入力領域Ｘ１１乃至Ｘ１８の詳細については、後述する（図８参照）。また、受付部１４は、ユーザによって用途識別情報が入力されると、当該用途識別情報と、用途識別情報が入力された用途入力領域Ｘ１１乃至Ｘ１８を含む入力領域Ｘ１乃至Ｘ８を抽出処理部１５に通知する。なお、本実施形態において、受付部１４は、入力受付部を構成する。
【００３９】
抽出処理部１５は、レイアウトデータベース１１を読み込んで、レイアウト図や、入力領域Ｘ１乃至Ｘ８や、設定表示領域Ｙ１乃至Ｙ８を表示するように、表示部１６を制御する。また、抽出処理部１５は、ユーザによって制御情報や機器識別情報が入力された入力領域Ｘに対応する設備機器２００の種別情報をレイアウトデータベース１１から抽出する。具体的に、抽出処理部１５は、制御情報や機器識別情報と、当該制御情報や機器識別情報が入力された入力領域Ｘ１乃至Ｘ８とが、受付部１４から通知されると、レイアウトデータベース１１のレイアウトテーブルＴ１を参照し、通知された入力領域（例えば、入力領域Ｘ１）に関連付けて記憶されている種別情報（例えば、ＳＥＣ１０００）を抽出する。また、抽出処理部１５は、抽出した種別情報（例えば、ＳＥＣ１０００）と、機器識別情報（例えば、Ａ１）と、制御情報とを関連づけて、設定データベース１７に記憶する。
【００４０】
また、抽出処理部１５は、用途識別情報と、当該用途識別情報が入力された入力領域Ｘ１乃至Ｘ８とが、受付部１４から通知されると、レイアウトデータベース１１のレイアウトテーブルＴ１を参照し、通知された入力領域（例えば、入力領域Ｘ１）に関連付けて記憶されている種別情報（例えば、ＳＥＣ１０００）を抽出する。また、抽出処理部１５は、用途識別情報と、抽出した種別情報とに基づいて、ソースデータベース１２から制御情報の推奨値を抽出する。具体的に、抽出処理部１５は、ソースデータベース１２のソーステーブルＴ２を参照し、通知された用途識別情報（例えば、鮮魚）と、抽出した種別情報（例えば、ＳＥＣ１０００）とに関連付けて記憶されている制御情報の推奨値を抽出する。また、抽出処理部１５は、入力された機器識別情報（例えば、Ａ１）と、種別情報（例えば、ＳＥＣ１０００）と、制御情報の推奨値とを関連づけて、設定データベース１７に記憶する。つまり、抽出処理部１５は、制御情報の推奨値を、制御装置１５０によって設備機器２００を制御する際に用いられる制御情報として、設定データベース１７に記憶する。本実施形態において、抽出処理部１５は、第１抽出部と第２抽出部を構成する。
【００４１】
表示部１６は、抽出処理部１５の制御に従って、設備機器２００の配置領域ＳＡ１乃至ＳＡ８が含まれる施設５００内のレイアウト図と、設備機器２００に対応する入力領域Ｘ１乃至Ｘ８を表示する。なお、入力領域Ｘ１乃至Ｘ８のそれぞれには、用途識別情報を入力する用途入力領域Ｘ１１乃至Ｘ１８が含まれる
設定データベース１７は、設定テーブルＴ３を具備する。設定テーブルＴ３は、図６に示すように、機器識別情報と、種別情報と、制御情報とを関連付けて記憶する。なお、設定テーブルＴ３に記憶される情報は、抽出処理部１５によって記憶される。
【００４２】
通信部１８は、抽出処理部１５によって抽出された機器識別情報と、種別情報と制御情報とを関連づけて、統合コントローラ１００に向けて出力する。具体的に、通信部１８は、抽出処理部１５によって記憶された設定テーブルＴ３内の全ての情報を統合コントローラ１００に向けて送信する。ここで、統合コントローラ１００に向けて出力するとは、例えば、設定データベース１７内の情報を、通信回線を用いて、統合コントローラ１００に送信することや、設定データベース１７内の情報を、例えば、ＵＳＢメモリなどの可搬可能な記憶媒体に記憶させて、ユーザが当該記憶媒体を用いて統合コントローラ１００の記憶部１２０に記憶することも含む。なお、通信部１８は、通信回線を用いて、設定データベース１７内の情報を統合コントローラ１００に送信する場合、統合コントローラ１００の通信部１１０と電気的に接続された際に、設定テーブルＴ３内の全ての情報を統合コントローラ１００に向けて送信するように構成されていてもよいし、統合コントローラ１００から要求を受けた際に上記情報を送信してもよい。また、通信部１８は、ユーザによって入力部１３に所定の操作（例えば、統合コントローラ１００への送信指示を示す操作）を受けた際に設定テーブルＴ３内の情報を出力してもよい。本実施形態において、通信部１８は、出力部を構成する。
【００４３】
（設定支援装置の制御動作）
次に、図７を参照し上述した設定支援装置１０において、設備機器に対応する制御情報が設定され、当該制御情報が設定データベース１７に記憶される際の動作について説明する。
【００４４】
ステップＳ１１において、設定支援装置１０では、ソースデータベース１２のソーステーブルＴ２に、設備機器２００の種別情報と、用途識別情報と、設備機器の制御情報の推奨値とを関連付けて予め記憶する。
【００４５】
ステップＳ１２において、レイアウトデータベース１１は、レイアウト図を示すレイアウト情報を予め記憶する。また、レイアウトデータベース１１のレイアウトテーブルＴ１に、設備機器２００の種別情報を予め記憶する。なお、また、レイアウトテーブルＴ１には、設備機器２００の種別情報と、配置領域ＳＡに配置される設備機器２００の機器識別情報とを関連付けて予め記憶していてもよい。
【００４６】
ステップＳ１３において、抽出処理部１５は、レイアウトデータベース１１を参照し、表示部１６に設備機器２００の配置領域ＳＡを含むレイアウト情報を出力する。また、抽出処理部１５は、レイアウトテーブルＴ１を参照し、配置領域ＳＡ１乃至ＳＡ８に関連づけて記憶されている種別情報についても、配置領域ＳＡ１乃至ＳＡ８に表示するように表示部１６を制御する。なお、抽出処理部１５は、レイアウトテーブルＴ１に、設備機器２００の種別情報だけでなく、配置領域ＳＡに配置される設備機器２００の機器識別情報が関連づけて記憶されている場合、当該機器識別情報についても、配置領域ＳＡ１乃至ＳＡ８に表示するように表示部１６を制御する。
【００４７】
また、抽出処理部１５は、設備機器２００の配置領域ＳＡに対応付けて、用途入力領域Ｘ１１を含む入力領域Ｘ１も表示するように、表示部１６を制御する。例えば、抽出処理部１５は、図８に示すように、レイアウト図と、用途入力領域Ｘ１１を含む入力領域Ｘ１とが表示されるように表示部１６を制御する。また、図８の例では、配置領域ＳＡ１に対応する入力領域Ｘ１のみが表示部１６に表示されている場合を例に挙げているが、配置領域ＳＡ１乃至ＳＡ８に対応する全ての入力領域Ｘ１乃至Ｘ８を表示してもよい。更に、ユーザが入力部１３を用いて、例えば、所定の配置領域ＳＡ１を選択する操作がされた際に入力領域Ｘ１を表示するように構成されていてもよい。
【００４８】
ステップＳ１４において、受付部１４は、ユーザが入力部１３を用いて所定の操作（例えば、キーボードを用いて入力）を行って、入力領域Ｘ１の用途入力領域Ｘ１１に用途識別情報が入力されたか否かを判定する。
【００４９】
ステップＳ１５において、用途識別情報が入力されず、機器識別情報と制御情報とが入力されると、受付部１４は、入力部１３に入力された機器識別情報と制御情報とを受け付けて、機器識別情報と、制御情報と、入力された入力領域Ｘ１とを、抽出処理部１５に通知する。
【００５０】
ステップＳ１６において、受付部１４は、ユーザが入力部１３に所定の操作を行って、例えば、入力領域Ｘ１に機器識別情報と用途識別情報とをされたと判定すると、入力部１３に入力された用途識別情報と機器識別情報とを受け付ける。なお、ここでは、ユーザによって、用途識別情報として「鮮魚」が入力され、機器識別情報として「Ａ１」が入力されたこととする。また、受付部１４は、入力部１３に入力された用途識別情報「鮮魚」と機器識別情報「Ａ１」とを受け付けると、当該用途識別情報「鮮魚」と、機器識別情報「Ａ１」と、入力された入力領域Ｘ１とを、抽出処理部１５に通知する。
【００５１】
ステップＳ１７において、抽出処理部１５は、受付部１４からの通知に基づいて、入力領域Ｘ１に用途識別情報「鮮魚」と機器識別情報「Ａ１」とが入力されたこと認識する。また、抽出処理部１５は、レイアウトデータベース１１のレイアウトテーブルＴ１を参照し、入力領域Ｘ１に対応付けて記憶されている種別情報「ＳＥＣ１０００」を抽出する。
【００５２】
ステップＳ１８において、抽出処理部１５は、ソースデータベース１２のソーステーブルＴ２を参照し、先に抽出した種別情報「ＳＥＣ１０００」と、受付部１４から通知された用途識別情報「鮮魚」とに関連付けて記憶されている制御情報の推奨値「３℃」、「８℃」、「−１℃」を抽出する。
【００５３】
ステップＳ１９において、抽出処理部１５は、機器識別情報「Ａ１」と、種別情報「ＳＥＣ１０００」と、用途識別情報「鮮魚」と、制御情報の推奨値「３℃」、「８℃」、「−１℃」とを関連付けて、設定データベース１７の設定テーブルＴ３に記憶する。つまり、抽出処理部１５は、制御情報の推奨値を制御情報として、設定テーブルＴ３に記憶する。なお、抽出処理部１５は、ステップＳ１５において、受付部１４から機器識別情報と制御情報と通知されると、通知された機器識別情報と制御情報とを関連付けて、設定データベース１７の設定テーブルＴ３に記憶する。
【００５４】
また、抽出処理部１５は、設定データベース１７の設定テーブルＴ３に各種情報を記憶すると、設定テーブルＴ３に記憶されている各種情報を抽出し、図９に示すように、設定表示領域Ｙに表示するように表示部１６を制御する。なお、図９の例では、配置領域ＳＡ１に対応する設定表示領域Ｙを表示する場合を例に挙げているが、他の配置領域ＳＡ２乃至ＳＡ８についても、対応する設定表示領域Ｙ２乃至Ｙ８を表示することもできる。このように表示すれば、ユーザは、設備機器２００に対して、制御情報が適切に設定されているかを確認することができるので、制御情報の設定が欠落する等の設定ミスをより低減することができる。
【００５５】
ステップＳ２０において、ユーザが入力部１３に所定の操作を行って新たな入力領域（例えば、入力領域Ｘ１２）に新たな制御情報や、新たな用途識別情報や、新たな機器識別情報等が入力された場合、受付部１４は、この情報を受け付けて、ステップＳ１４乃至Ｓ２０の動作が繰り返し実行される。なお、この後、新たな制御情報や機器識別情報が受け付けられなかった場合は、動作を終了する。また、通信部１８は、抽出処理部１５によって記憶された設定テーブルＴ３内の全ての情報を統合コントローラ１００に向けて送信する。具体的に、通信部１８は、機器識別情報と、用途識別情報と、種別情報と、制御情報（又は制御情報の推奨値）とを関連付けて、統合コントローラ１００に向けて出力する。（第１実施形態に係る設定支援装置の作用・効果）
本実施形態に係る設定支援装置１０によれば、表示部１６に表示されるレイアウト図の設備機器２００の配置領域ＳＡに対応する入力領域Ｘに、ユーザが設備機器の機器識別情報（例えば、Ａ１）と用途識別情報（例えば、鮮魚）を入力すると、抽出処理部１５が、入力領域Ｘ１乃至Ｘ８に対応する配置領域ＳＡ１乃至ＳＡ８に配置される設備機器２００の種別情報（例えば、ＳＥＣ１０００）をレイアウトデータベース１１から抽出する。また、抽出処理部１５が、ユーザによって入力された用途識別情報（例えば、鮮魚）と、抽出処理部１５によって抽出された種別情報（例えば、ＳＥＣ１０００）とに基づいて、ソースデータベース１２から、設備機器２００を制御するために用いられる制御情報の推奨値を抽出する。また、設定支援装置１０では、機器識別情報と、種別情報と、制御情報の推奨値とを関連付けて設定データベース１７に記憶する。
【００５６】
つまり、かかる設定支援装置１０によれば、ユーザは、表示部１６に表示されるレイアウト図を参照しながら、設備機器２００の配置領域ＳＡに対応する入力領域Ｘ１乃至Ｘ８に、設備機器２００の用途を示す用途識別情報を入力するだけで、当該設備機器２００の制御に用いられる制御情報の推奨値を設定データベース１７に記憶させることができる。よって、かかる設定支援装置１０によれば、施設５００に設けられる設備機器２００の制御情報を設定する際の作業負荷を大きく低減することができる。また、かかる設定支援装置１０によれば、施設５００内に設備機器２００を設置する施工工程において必ず作成されるレイアウト図に含まれる情報（種別情報等）を用いて、設備機器２００に対応する制御情報を設定するので、より効率よく設備機器２００に対する制御情報を設定データベース１７に記憶させることができる。
【００５７】
また、かかる設定支援装置１０によれば、設備機器２００を設置する施設５００内、つまり、現地で制御情報の設定作業を実施しなくとも、事前に事務所などにおいて設定作業を実施しておくことも可能になるので、現地における設定作業期間を短縮することができる。
【００５８】
（第１実施形態に係る変形例１）
以下に、上述した第１実施形態に係る設定支援装置１０の変形例の構成について、上述した設定支援装置１０との相違点に着目して説明する。本実施形態に係る受付部１４は、設定表示領域Ｙに表示されている制御情報の入力変更をユーザから受け付ける。なお、本実施形態において、受付部１４は、変更受付部を構成する。
【００５９】
例えば、ユーザが、入力部１３を用いて、設定表示領域Ｙに表示されている制御情報の上限温度「８℃」を「５℃」等に変更した場合、受付部１４は、上限温度「５℃」を抽出処理部１５に通知する。また、抽出処理部１５は、変更された制御情報として、上限温度「５℃」と、設定表示領域Ｙに表示されている機器識別情報と、種別情報と、用途識別情報とを関連付けて設定データベース１７に再度記憶（更新）する。
【００６０】
更に、本実施形態に係る設定支援装置１０では、ユーザが、入力部１３を用いて、制御情報に新たな情報項目を追加することも可能である。具体的に、設定表示領域Ｙに表示されている制御情報に新たな項目として、例えば、「冷媒グループ」などを追加したい場合、ユーザは入力部１３を用いて、設定表示領域Ｙ内に、新たな項目「冷媒グループ」と、「冷媒グループ」に対応するグループ番号「１」とを追加する。また、受付部１４は、入力部１３から制御情報として新たな項目「冷媒グループ」と、「冷媒グループ」に対応するグループ番号「１」とを受け付けると共に、抽出処理部１５に通知する。また、抽出処理部１５は、通知された新たな項目「冷媒グループ」に対応するグループ番号「１」を含む制御情報と、設定表示領域Ｙに表示されている機器識別情報と、種別情報と、用途識別情報とを関連付けて、図１０に示すように、設定データベース１７に記憶（更新）する。
【００６１】
かかる設定支援装置１０によれば、ユーザは、設備機器２００に対応する制御情報を適切な内容に修正したり、制御情報に含まれる情報項目を容易に追加することができる。
【００６２】
（第１実施形態に係る変形例２）
以下に上述した第１実施形態に係る設定支援装置１０の変形例の構成について、上述した設定支援装置１０との相違点に着目して説明する。本変形例に係る設定支援装置１０では、レイアウト図としてレイアウト情報に含まれる配線・配管情報に基づいて、抽出処理部１５が、複数の配置領域などをグループ化したグループ情報を制御情報に含めるように構成されている。
【００６３】
例えば、図１１に示すように、レイアウト図を示すレイアウト情報には、設備機器２００の配置領域ＳＡ１乃至ＳＡ８と、統合コントローラ１００とを接続する配管（又は配線）Ｌ１乃至Ｌ３情報が含まれる場合がある。このような場合、抽出処理部１５は、例えば、配管Ｌ１と接続する配置領域ＳＡ１乃至ＳＡ３とをグループ１とし、配管Ｌ２と接続する配置領域ＳＡ４乃至ＳＡ６とをグループ２とし、配管Ｌ３と接続する配置領域ＳＡ７乃至ＳＡ８とをグループ３として、グループ化するように構成されていてもよい。また、抽出処理部１５は、かかるグループ１乃至３を冷媒を循環させる冷媒グループ１乃至３として、配置領域ＳＡ１乃至ＳＡ８に対応する機器識別情報や種別情報と共に、設定データベース１７に関連付けて記憶するように構成されていてもよい。
【００６４】
かかる設定支援装置１０によれば、レイアウト図を示すレイアウト情報に含まれる配線情報や配管情報などの他の情報に基づいて、設備機器２００に対応する制御情報に含まれる情報項目を容易に生成することができる。
【００６５】
なお、抽出処理部１５は、設定データベース１７に記憶される冷媒グループ１乃至３のそれぞれに応じて、配置領域ＳＡ１乃至ＳＡ８に網掛け等の模様や、色などを用いてグループ別に表示するように表示部１６を制御してもよい。かかる表示部１６によれば、ユーザは、配置領域に対応する設備機器２００の制御情報に含まれる冷媒グループが、どのように設定されているか等を、容易に確認することができ、制御情報の設定ミスを低減することができる。
【００６６】
（第１実施形態に係る変形例３）
以下に上述した第１実施形態に係る設定支援装置１０の変形例の構成について、上述した設定支援装置１０との相違点に着目して説明する。本変形例に係る設定支援装置１０では、受付部１４が、レイアウト図に新たな設備機器の配置領域の追加をユーザから受け付ける。また、受付部１４によって新たな設備機器の配置領域の追加を受け付けられた場合、新たな設備機器の配置領域が含まれるレイアウト図を示すレイアウト情報をレイアウトデータベース１１に記憶する。なお、本実施形態において、受付部１４は、レイアウト受付部を構成する。
【００６７】
具体的に、ユーザが、表示部１６に表示されるレイアウト図を参照しながら、入力部１３に所定の操作を行って、新たな設備機器の配置領域（例えば、配置領域ＳＡ９）を入力した場合、受付部１４は、この新たな設備機器の配置領域ＳＡ９の入力を受け付けて、レイアウトデータベース１１に記憶されるレイアウト情報を更新する。また、受付部１４は、レイアウトデータベース１１のレイアウトテーブルＴ１に配置領域として「ＳＡ９」を追加する。また、受付部１４は、レイアウト情報が更新されたことを抽出処理部１５に通知する。この通知を受けた抽出処理部１５は、上述した図７のステップＳ１３の動作と同様に、表示部１６に新たな配置領域ＳＡ９を含むレイアウト情報を出力し、表示部１６には更新されたレイアウト図が表示される。また、設定支援装置１０では、図７のステップＳ１３乃至Ｓ１８の動作が実行される。
【００６８】
なお、ユーザが、入力部１３に所定の操作を行って、新たな配管（又は配線）情報等を入力した場合、受付部１４は、この新たな配管（又は配線）情報の入力を受け付けて、レイアウトデータベース１１に記憶されるレイアウト情報を更新してもよい。また、ユーザが、入力部１３に所定の操作を行って、既に記憶されている設備機器の配置領域の削除を指示した場合、受付部１４は、この指示を受け付けて、レイアウト情報から配置領域を削除してもよい。
【００６９】
かかる設定支援装置１０によれば、レイアウト図を作成する作業と共に、各設備機器２００に対応する制御情報も同じ作業の中で生成することができるので、施設５００に設備機器２００を設置する際の全体的な作業効率の向上を図ることができる。
【００７０】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００７１】
また、各実施形態の構成及び各変更例の構成もそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【００７２】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００７３】
【図１】本発明の第１実施形態に係る設備制御システムの構成を示す概略構成図である。
【図２】本発明の第１実施形態に係る設定支援装置のブロック構成図である。
【図３】本発明の第１実施形態に係る設定支援装置におけるレイアウト図の一例を示す図である。
【図４】本発明の第１実施形態に係るレイアウトテーブルＴ１を示す図である。
【図５】本発明の第１実施形態に係るソーステーブルＴ２を示す図である。
【図６】本発明の第１実施形態に係る設定テーブルＴ３を示す図である。
【図７】本発明の第１実施形態に係る設定支援装置の動作を示すフローチャート図である。
【図８】本発明の第１実施形態に係る設定支援装置の表示部に表示されるレイアウト図と用途入力領域の一例を示す図である。
【図９】本発明の第１実施形態に係る設定支援装置の表示部に表示されるレイアウト図と設定表示領域の一例を示す図である。
【図１０】本発明の変形例に係る設定テーブルＴ３を示す図である。
【図１１】本発明の変形例に係る設定支援装置の表示部に表示されるレイアウト図の一例を示す図である。
【符号の説明】
【００７４】
１０００…設備制御システム、５００…施設、２００…設備機器、１５０…制御装置、１５１_１…通信部、１５２_１…制御部、１００…統合コントローラ、１１０…通信部、１２０…記憶部、１３０…制御部、１０…設定支援装置、１１…レイアウトデータベース、１２…ソースデータベース、１３…入力部、１４…受付部、１５…抽出処理部、１６…表示部、１７…設定データベース、１８…通信部、Ｌ１乃至Ｌ３…配管（配線）、ＳＡ…配置領域、Ｔ１…レイアウトテーブル、Ｔ２…ソーステーブル、Ｔ３…設定テーブル、Ｘ１１乃至Ｘ１８…用途入力領域、Ｘ１乃至Ｘ８…入力領域、Ｙ１乃至Ｙ８…設定表示領域
【図１】
2009003788.tif 000003
【図２】
2009003788.tif 000004
【図３】
2009003788.tif 000005
【図４】
2009003788.tif 000006
【図５】
2009003788.tif 000007
【図６】
2009003788.tif 000008
【図７】
2009003788.tif 000009
【図８】
2009003788.tif 000010
【図９】
2009003788.tif 000011
【図１０】
2009003788.tif 000012
【図１１】
2009003788.tif 000013